(57)【要約】【課題】本考案は、伸縮自在で、ノイズが生じず、且つ広い空間を得ることができ、自由に伸縮と固定を行うことができる、折りたたみやすいフレーム体構造を提供する。【解決手段】相互に間隔を空け且つ平行に設けられた第一フレーム及び第二フレームと  第一及び第二調整部と  回転可能に連結された第一及び第二スライドバーと、伸縮バーとからなる。第一及び第二調整部は、前記第一フレームの第一右フレームバー及び第二フレームの第二右フレームバーに、それぞれスライド可能に設けられる。第一及び第二スライドバーの一端は、第一及び第二底部フレームバーにそれぞれ固定され、他端は、第一及び第二調整部にそれぞれ連結される。伸縮バーの両端は、第一フレームの第一頂部フレームバーと第二フレームの第二頂部フレームバーにそれぞれ連結される。【選択図】図１
0003173279.tif 000002
【実用新案登録請求の範囲】
【請求項１】
第一フレームと、第二フレームと、第一調整部と、第二調整部と、第一スライドバーと、第二スライドバーと、によって構成する折りたたみやすいフレーム体構造であって、
第一フレームは、第一左フレームバーと、第一右フレームバーと、第一頂部フレームバと、第一底部フレームバーとを備え、前記第一左フレームバーと、前記第一右フレームバーは、相互に間隔を空け且つ相互に平行にして垂直に設けられ、前記第一頂部フレームバーと前記第一底部フレームバーは、前記第一左フレームバーと前記第一右フレームバーの間に横向きに設けられ、前記第一頂部フレームバーと前記第一底部フレームバーの両端は、前記第一左フレームバーと前記第一右フレームバーの頂端と底端にそれぞれ連結され、前記第一底部フレームバーは回転可能に設けられ、
第二フレームは、前記第一フレームと平行に且つ間隔を空けて設けられ、前記第二フレームは、第二左フレームバーと、第二右フレームバーと、第二頂部フレームバーと、第二底部フレームバーとを備え、前記第二左フレームバーと前記第二右フレームバーは、相互に間隔を空け且つ相互に平行にして垂直に設けられ、前記第二頂部フレームバーと前記第二底部フレームバーは、前記第二左フレームバーと前記第二右フレームバーの間に横向きに設けられ、前記第二頂部フレームバーと前記第二底部フレームバーの両端は、前記第二左フレームバーと前記第二右フレームバーの頂端と底端にそれぞれ連結され、前記第二底部フレームバーは、回転可能に設けられ、
第一調整部は、前記第一フレームの前記第一右フレームバーにスライド可能に設けられ、
第二調整部は、前記第二フレームの前記第二右フレームバーにスライド可能に設けられ、
第一スライドバーは、ほぼＬ型構造を呈するとともに、前記第一スライドバーは、第一ロングバー部と第一ショートバー部とからなり、前記第一ロングバー部は、前記第一ショートバー部にほぼ垂直に連結され、前記第一ロングバー部における前記第一ショートバー部に連結された一端と反対の一端は、前記第一底部フレームバーに固定され、前記第一ショートバー部における前記第一ロングバー部に連結された一端と反対の一端は、前記第一調整部に連結され、
第二スライドバーは、ほぼＬ型構造を呈するとともに、前記第二スライドバーの中央部位は、前記第一スライドバーの中央部位に枢設され、前記第二スライドバーは、第二ロングバー部と第二ショートバー部とからなり、前記第二ロングバー部は、前記第二ショートバー部にほぼ垂直に連結され、前記第二ロングバー部における前記第二ショートバー部に連結された一端と反対の一端は、前記第二底部フレームバーに固定され、前記第二ショートバー部における前記第二ロングバー部に連結された一端と反対の一端は、前記第二調整部に連結されることを特徴とする、折りたたみやすいフレーム体構造。
【請求項２】
前記折りたたみやすいフレーム体構造は、更に、伸縮バーを備え、伸縮バーの両端は、前記第一フレームの前記第一頂部フレームバーと、前記第二フレームの前記第二頂部フレームバーにそれぞれ連結され、前記伸縮バーは、太いバーと、細いバーと、係止部材とを備え、前記細いバーは前記太いバー内に差し込まれ、前記係止部材は、前記太いバーと前記細いバーの間に設けられ、それにより、前記太いバーと前記細いバーの位置が固定されることを特徴とする、請求項１に記載の折りたたみやすいフレーム体構造。
【請求項３】
前記第一調整部は、第一ボルトと、第一スライドカバーと、第一連結管とを備え、前記第一スライドカバーは、前記第一右フレームバーの外に被せられ、前記第一連結管は、前記第一スライドカバーに連結されるとともに、前記第一スライドバーの前記第一ショートバー部に差し込まれ、前記第一ボルトは、前記第一スライドカバーに連結されるとともに、前記第一スライドカバーにおける前記第一連結管の反対側に設けられ、前記第二調整部は、第二ボルトと、第二スライドカバーと、第二連結管とを備え、前記第二スライドカバーは、前記第二右フレームバーの外に被せられ、前記第二連結管は、前記第二スライドカバーに連結されるとともに、前記第二スライドバーの前記第二ショートバー部に差し込まれ、前記第二ボルトは、前記第二スライドカバーに連結されるとともに、前記第二スライドカバーにおける前記第二連結管の反対側に設けられることを特徴とする、請求項１に記載の折りたたみやすいフレーム体構造。
【請求項４】
前記第一フレームと前記第二フレームの下方には、第一滑車底部フレームバー台座及び第二滑車底部フレームバー台座がそれぞれ連結されることを特徴とする、請求項１に記載の折りたたみやすいフレーム体構造。
【請求項５】
前記第一調整部と前記第二調整部は、プラスチック材質であることを特徴とする、請求項３に記載の折りたたみやすいフレーム体構造。
【請求項６】
前記第一連結管と前記第二連結管にそれぞれ連結される前記第一ショートバー部と前記第二ショートバー部の末端は、プラスチック材質であることを特徴とする、請求項３に記載の折りたたみやすいフレーム体構造。
【請求項７】
前記第一ショートバー部における前記第一ロングバー部に連結された一端と反対の一端は、第一凹リングを備え、前記第一連結管内は第一凸リングを備え、前記第一凹リングと前記第一凸リングを相互に嵌め合わせることにより固定連結され、前記第二ショートバー部における前記第二ロングバー部に連結された一端と反対の一端は、第二凹リングを備え、前記第二連結管内は第二凸リングを備え、前記第二凹リングと前記第二凸リングを相互に嵌め合わせることにより固定連結されることを特徴とする、請求項１に記載の折りたたみやすいフレーム体構造。
【考案の詳細な説明】
【技術分野】
【０００１】
本考案は家具の応用領域に関し、特に折りたたみやすいフレーム体構造に関する。
【背景技術】
【０００２】
台湾実用新案第Ｍ３５２５４７号には、「鉄パイプ家具の折り畳み構造」が開示されている。この構造は、展開させたり折りたたんだりすることができるものの、固定フレーム体は、四辺のフレームバーのみで形成されており、さらには、溝を両側のフレームバーに設けることにより加工コストが増え、しかも、バーの両端に設けられた金属製のスライド部は、金属溝内でスライドさせると、必ず、金属の摩擦音によるノイズが生じる。
【先行技術文献】
【特許文献】
【０００３】
【特許文献１】台湾実用新案第Ｍ３５２５４７号明細書
【考案の概要】
【考案が解決しようとする課題】
【０００４】
そこで、本考案は、伸縮自在で、ノイズが生じず、且つ広い空間を得ることができ、自由に伸縮と固定を行うことができる、折りたたみやすいフレーム体構造を提供することを目的とする。
【課題を解決するための手段】
【０００５】
本考案の折りたたみやすいフレーム体構造は、相互に間隔を空け且つ平行に設けられた第一フレーム及び第二フレームと  第一及び第二調整部と  回転可能に連結された第一及び第二スライドバーと、伸縮バーとからなる。第一及び第二調整部は、前記第一フレームの第一右フレームバー及び第二フレームの第二右フレームバーに、それぞれスライド可能に設けられる。第一及び第二スライドバーの一端は、第一及び第二底部フレームバーにそれぞれ固定され、他端は、第一及び第二調整部にそれぞれ連結される。伸縮バーの両端は、第一フレームの第一頂部フレームバーと第二フレームの第二頂部フレームバーにそれぞれ連結される。
【図面の簡単な説明】
【０００６】
【図１】本考案のフレーム体構造を展開させた時の構造を示した斜視図である。
【図１−Ａ】本考案のフレーム体構造の第一調整部と第一スライドバーを示した分解図である。
【図２】本考案のフレーム体構造を、展開した状態から折り畳んだ状態にする時の構造を示した斜視図である。
【図３】本考案のフレーム体構造を折りたたんだ時の構造を示した斜視図である。
【考案を実施するための形態】
【０００７】
図１から図３を同時に参照する。本考案の折りたたみやすいフレーム体構造１は、第一フレーム２と、第二フレーム３と、第一調整部４と、第二調整部５と、第一スライドバー６と、第二スライドバー７と、によって構成する。
【０００８】
第一フレーム２と第二フレーム３は中空構造であるとともに、互いに平行且つ間隔を空けて設けられる。詳しく言うと、第一フレーム２は、第一左フレームバー２１と、第一右フレームバー２２と、第一頂部フレームバー２３と、第一底部フレームバー２４とを備える。第一左フレームバー２１と第一右フレームバー２２は、相互に間隔を空け且つ相互に平行にして垂直に設けられる。第一頂部フレームバー２３と第一底部フレームバー２４は、第一左フレームバー２１と第一右フレームバー２２の間に横向きに設けられるとともに、その両端は、第一左フレームバー２１と第一右フレームバー２２の頂端と底端にそれぞれ連結される。また、第一底部フレームバー２４は、回転可能に設けられる。第二フレーム３は、第二左フレームバー３１と、第二右フレームバー３２と、第二頂部フレームバー３３と、第二底部フレームバー３４とを備え、第二左フレームバー３１と第二右フレームバー３２は、相互に間隔を空けて設け且つ相互に平行にして垂直に設けられる。第二頂部フレームバー３３と第二底部フレームバー３４は、第二左フレームバー３１と第二右フレームバー３２の間に横向きに設けられ、その両端は、第二左フレームバー３１と第二右フレームバー２２の頂端と底端にそれぞれ連結される。また、第二底部フレームバー３４は、回転可能に設けられる。
【０００９】
また、第一フレーム２と第二フレーム３の間には、伸縮バー８が更に設けられ、その両端は、第一フレーム２の第一頂部フレームバー２３と第二フレーム３の第二頂部フレームバー３３にそれぞれ連結され、それにより、第一フレーム２と第二フレーム３の間の間隔が空けられ且つ固定される。伸縮バー８は、太いバー８１と、細いバー８２と、係止部材８３とからなり、細いバー８２は、太いバー８１内に差し込まれ、係止部材８３は、太いバー８１と細いバー８２の間に設けられて、太いバー８１と細いバー８２の位置を固定する。
【００１０】
第一調整部４は、プラスチック材質であるとともに、第一ボルト４１と、第一スライドカバー４２と、第一連結管４３とからなる。第一スライドカバー４２は、第一右フレームバー２２の外に被せられ、第一連結管４３は第一スライドカバー４２に連結されるとともに、第一スライドバー６の第一ショートバー部６２に差し込まれる。第一ボルト４１は、第一スライドカバー４２に連結されるとともに、第一スライドカバー４２における第一連結管４３の反対側に設けられる。第二調整部５は、プラスチック材質であるとともに、第二ボルト５１と、第二スライドカバー５２と、第二連結管５３とからなる。第二スライドカバー５２は、第二右フレームバー３２の外に嵌め込まれ、第二連結管５３は、第二スライドカバー５２に連結されるとともに、第二スライドバー７の第二ショートバー部７２に差し込まれ、第二ボルト５１は、第二スライドカバー５２に連結されるとともに、第二スライドカバー５２における第二連結管５３の反対側に設けられる。
【００１１】
それにより、第一フレーム２と第二フレーム３の架構をより安定さえることができ、安定性を高める効果を得ることができる。
【００１２】
第一スライドバー６は、ほぼＬ型構造を呈するとともに、第一ロングバー部６１と第一ショートバー部６２とからなる。第一ロングバー部６１は、第一ショートバー部６２にほぼ垂直に連結され、第一ロングバー部６１における第一ショートバー部６２に連結された一端と反対側の一端は、第二底部フレームバー３４に固定される。第一ショートバー部６２における第一ロングバー部６１に連結された一端と反対側の一端は、第一調整部４の第一連結管４３に連結される。詳しく言うと、第一ショートバー部６２における第一ロングバー部６１に連結された一端と反対の一端は、第一凹リング６２１を備え、第一連結管４３内は第一凸リング４３１を有し、第一凹リング６２１と第一凸リング４３１を相互に嵌め合わせることにより、固定連結される。
【００１３】
第二スライドバー７は、ほぼＬ型構造を呈しており、第二スライドバー７の中央部位は、第一スライドバー６の中央部位と枢設され、第二スライドバー７は、第二ロングバー部７１と第二ショートバー部７２とを備え、第二ロングバー部７１は、第二ショートバー部７２にほぼ垂直に連結され、第二ロングバー部７１における第二ショートバー部７２に連結された一端と反対の一端は、第一底部フレームバー２４に固定され、第二ショートバー部７２における第二ロングバー部７１に連結された一端と反対の一端は、第二調整部５の第二連結管５３に連結される。詳しく言うと、第二ショートバー部７２における第二ロングバー部７１に連結された一端と反対の一端は、第二凹リング（図示せず）を備え、第二連結管５３内には第二凸リング（図示せず）を備え、第二凹リング（図示せず）と第二凸リング（図示せず）を相互に嵌め合わせることにより固定連結される。その構造は、図１−Ａの第一スライドバー６と第一調整部４の構造と同じである。
【００１４】
なお、第一連結管４２と第二連結管５２にそれぞれ連結された第一ショートバー部６２及び第二ショートバー部７２の末端は、プラスチック材質である。
【００１５】
展開した状態の時は（図１に図示）、伸縮バー８の太いバー８１と細いバー８２は、最も長い長さまで伸ばされるとともに、係止部材８３で固定される。また、第一調整部４及び第二調整部５は、第一底部フレームバー２４及び第二底部フレームバー３４に近接する箇所にそれぞれ固定される。また、折りたたみを行う時は、つまり、図１の展開した状態を図３の折り畳みの状態にする時は、伸縮バー８の係止部材８３を開放して、太いバー８１と細いバー８２の間の引き延ばしが自由な状態にし、第一調整部４の第一ボルト４１と第二調整部５の第二ボルト５１を緩め、第一スライドカバー４２と第二スライドカバー５２をスライド可能な状態にし、それにより、使用者は、第一フレーム２から第二フレーム３への方向へ押して折り畳むことができる、或いは、反対方向へ（第二フレーム３から第一フレーム２への方向）押して折り畳むことができる。
【００１６】
折り畳む状態にする時（図３に図示）、伸縮バー８の係止部材８３は開放されているとともに、太いバー８１と細いバー８２の間の引き延ばしが自由な状態であり、第一調整部４の第一ボルト４１及び第二調整部５の第二ボルト５１は緩み、第一スライドカバー４２及び第二スライドカバー５２はスライド可能な状態であるため、使用者は、第一フレーム２から第二フレーム３への方向へ押すこと（これは一例にすぎず、これに限定されるものではない）で折り畳むことができる。即ち、第一調整部４の第一スライドカバー４２は、第一底部フレームバー２４に近接した箇所から第一頂部フレームバー２３の方向へスライドし、第二調整部５の第二スライドカバー５２は、第二底部フレームバー３４に近接した箇所から、第二頂部フレームバー３３の方向へスライドし、それと同時に、第一スライドバー６及び第二スライドバー７が連動して折り畳まれ、第一フレーム２と第二フレーム３が接近する。以上により、折り畳みフレームが形成され、スペースを縮小して収納することができる。
【００１７】
また、第一フレーム２と第二フレーム３の下方には、第一滑車底部フレームバー台座２５と第二滑車底部フレームバー台座３５がそれぞれ連結され、第一フレーム２及び第二フレーム３を押して移動させるのに便利である。
【符号の説明】
【００１８】
１                          フレーム体構造
２                          第一フレーム
２１                        第一左フレームバー
２２                        第一右フレームバー
２３                        第一頂部フレームバー
２４                        第一底部フレームバー
２５                        第一滑車底部フレームバー台座
３                          第二フレーム
３１                        第二左フレームバー
３２                        第二右フレームバー
３３                        第二頂部フレームバー
３４                        第二底部フレームバー
３５                        第二滑車底部フレームバー台座
４                          第一調整部
４１                        第一ボルト
４２                        第一スライドカバー
４３                        第一連結管
４３１               第一凸リング
５                          第二調整部
５１                        第二ボルト
５２                        第二スライドカバー
５３                        第二連結管
６              第一スライドバー
６１                        第一ロングバー部
６２                        第一ショートバー部
６２１               第一凹リング
７                          第二スライドバー
７１                        第二ロングバー部
７２                        第二ショートバー部
８                          伸縮バー
８１                        太いバー
８２                        細いバー
８３                        係止部材
【図１】
0003173279.tif 000003
【図１−Ａ】
0003173279.tif 000004
【図２】
0003173279.tif 000005
【図３】
0003173279.tif 000006